(57)【要約】【課題】  店舗内で客が焼くようにした調理用の燃焼器具において、燃料を蓄えているガス供給装置を容易に交換することができるようにする。【解決手段】  本調理用の燃焼器具は、上側に開口部を有する箱型の筐体１０と、この筐体１０内の上部に配置されるバーナ２０と、このバーナ２０内に供給されるガスの燃料２を蓄えているガス供給装置３０とを備えている。そして、前記ガス供給装置３０が前記筐体１０の外側に配置され、かつ、取替え自在に筐体１０に装着される。また、前記ガス供給装置３０は、ガスを噴射する噴射孔３２ａを設けたバルブ３２と、燃料２を蓄えて前記バルブ３２を取り付けるタンク３１と、このタンク３１および／またはバルブ３２を保持して前記筐体１０に係脱する係止部３３とを備えている。【選択図】  図１
2005282991.tif 000002
【特許請求の範囲】
【請求項１】
上側に開口部を有する箱型の筐体と、該筐体内の上部に配置されるバーナと、該バーナ内に供給されるガスの燃料を蓄えるガス供給装置とが備えられている調理用の燃焼器具であって、
前記ガス供給装置が前記筐体の外側に配置され、かつ、取り替え自在に前記筐体に装着されていることを特徴とする調理用の燃焼器具。
【請求項２】
前記ガス供給装置は、ガスを前記バーナのガス導入口に向けて噴射する噴射孔を設けたバルブと、該バルブを取り付ける燃料用タンクと、前記バルブまたはタンクを保持して前記筐体に係脱する係止部とを備えていることを特徴とする請求項１に記載の調理用の燃焼器具。
【請求項３】
前記ガス供給装置の係止部には、薄板を折り曲げた爪部が設けられ、該爪部を係入するスリット状溝が前記筐体側に備えられていることを特徴とする請求項２に記載の調理用の燃焼器具。
【請求項４】
前記ガス供給装置の係止部には、磁石が備えられ、該磁石を介してガス供給装置を着脱自在に装着する金属板が前記筐体側に備えられていることを特徴とする請求項２に記載の調理用の燃焼器具。
【請求項５】
前記ガス供給装置は、複数備えられていることを特徴とする請求項１から４の何れか一つに記載の調理用の燃焼器具。
【請求項６】
前記タンクは、透明または半透明の材質で形成されていることを特徴とする請求項２から５の何れか一つに記載の調理用の燃焼器具。
【請求項７】
前記ガス供給装置は、前記タンクを交換可能としていることを特徴とする請求項２から６の何れか一つに記載の調理用の燃焼器具
【請求項８】
前記バーナは、多数の火口が形成され、遠赤外線を放射し、かつ、炎を均等に広げるための触媒部によって前記火口が覆われていることを特徴とする請求項１から７の何れか一つに記載の調理用の燃焼器具。
【発明の詳細な説明】
【技術分野】
【０００１】
本発明は、各自で焼き鳥などを焼き上げるための調理用の燃焼器具に関し、詳しくは、バーナを燃焼させるためのガスを供給するガス供給装置が備えられた調理用の燃焼器具に関する。
【背景技術】
【０００２】
店舗で提供される焼き鳥は、一般的に、店員が調理場内に設置された調理用の燃焼器具を使用することによって焼き上げられる。店員は、最もおいしく食することができる焼き加減で焼き上げられた焼き鳥を客に提供する。しかし、客は、必ずしも提供された直後に食するとは限らず、時間を置いてから食することがある。すると、肉が硬くなったり、冷めたりするなど味が悪くなり、不評をかったり、返品されたりすることがある。
【０００３】
そこで、店舗で焼き鳥を提供する場合であっても、客が一人ずつ調理用の燃焼器具を使用して、各自のペースで焼き鳥を焼き上げるようにする営業形態も考えられる。一人ずつ使用する調理用の燃焼器具は各種提供されているが、例えば、携帯性に優れ、屋内での使用が可能で、しかも、後始末が簡単な炭火焼コンロが特許文献１に開示されている。
【０００４】
この炭火焼コンロは、上側に開口部を有する横置き直方体形状の箱体、複数の棒状部材を平行に配置した火格子、そして水を溜める水皿などが備えられている。箱体内には、上下に仕切るためのフランジ状の棚部が形成され、この棚部上に火格子が載せられ、さらにこの火格子上に予め着火された多数の炭が載せられる。また、箱体の下側の一側面には、引出し口が設けられ、この引出し口から箱体の底部内に水を溜めた水皿が挿入される。そして、箱体の一側面であって前記棚板と底部との間には複数の空気孔が形成され、この空気孔が遮蔽板によって開閉自在に塞がれる。空気孔の開口量を加減することにより、炭火の火力を調整する。
【０００５】
そして、箱体の開口部上に一対の金属棒を置き、あるいは金網などを置いた状態とし、鶏肉の肉片などを突き刺した串を一対の金属棒に架け渡し、あるいは金網上に載せて鶏肉などの肉片を程好く焼き上げる。調理中には、鶏肉の脂や調理用の垂れなどが水皿内の水面上に落下する。調理後は、箱体の上方開口部に消化蓋を被せ、さらに、空気孔を遮蔽板で完全に閉じることにより、箱体内を完全に密閉し、炭火を消化する。そして、水皿を箱体の引出し口から引き出し、脂などが溜まった水を洗い流すことにより、後始末する。
【特許文献１】実開平６−１０７０３号公報
【発明の開示】
【発明が解決しようとする課題】
【０００６】
特許文献１に開示された炭火焼コンロは、炭を使用するため、着火させる作業が面倒であるだけでなく、着火した炭はトングと呼ばれる鋏のような器具を使用して火格子上に置いたり、除けたりしなければならない。したがって、客が炭火焼コンロを使用している最中に鎮火すると、客の傍ら炭を交換することとなり、この作業が危険で大変面倒であるばかりか、客を待たせることにもなる。また、炭火焼コンロごと交換することも可能であるが、箱体内の水皿内には水が溜められているため、水をこぼさないように炭焼きコンロを交換する作業も困難である。
【０００７】
そこで、本発明は、店舗内で客が焼くようにした調理用の燃焼器具において、燃料を蓄えているガス供給装置を容易に交換することができるようにした調理用の燃焼器具を提供することを課題とする。
【課題を解決するための手段】
【０００８】
本発明に係る調理用の燃焼器具は、上側に開口部を有する箱型の筐体と、該筐体内の上部に配置されるバーナと、該バーナ内に供給されるガスの燃料を蓄えるガス供給装置とが備えられている調理用の燃焼器具であって、前記ガス供給装置が前記筐体の外側に配置され、かつ、取り替え自在に前記筐体に装着されていることを特徴としている。
【０００９】
この調理用の燃焼器具によれば、バーナは、ガス供給装置から供給されるガスによって燃焼する。ガス供給装置に蓄えられた燃料が消耗すると、ガス供給装置を交換する。ガス供給装置は、筐体の外側に着脱自在に配置されており、かつ、取替え自在に筐体に装着されているため、容易かつ迅速に交換することができる。
【００１０】
また、前記の調理用の燃焼器具において、前記ガス供給装置は、ガスを前記バーナのガス導入口に向けて噴射する噴射孔を設けたバルブと、該バルブを取り付ける燃料用タンクと、前記バルブまたはタンクを保持して前記筐体に係脱する係止部とを備えていることが好ましい。
【００１１】
この調理用の燃焼器具によれば、ガス供給装置は、タンクに取り付けられたバルブの噴射孔がバーナのガス導入口に近接するように配置され、係止部が筐体に取替え自在に装着される。そして、燃料が消耗すると、係止部をこの筐体から外すことによって、ガス供給装置を交換する。
【００１２】
また、前記の調理用の燃焼器具において、前記ガス供給装置の係止部には、薄板を折り曲げた爪部が設けられ、該爪部を係入するスリット状溝が前記筐体側に備えられていてもよい。
【００１３】
この調理用の燃焼器具によれば、ガス供給装置の係止部が薄板を折り曲げた爪部を備え、この爪部が筐体に設けられたスリット状溝内に係入することにより、ガス供給装置は安定した状態で筐体の外側に装着される。また、爪部をスリット状溝内から抜くだけでガス供給装置を筐体から取り出すことができるため、ガス供給装置は容易に交換することができる。
【００１４】
また、前記の調理用の燃焼器具において、前記ガス供給装置の係止部には、磁石が備えられ、該磁石を介してガス供給装置を着脱自在に装着する金属板が前記筐体側に備えられていてもよい。
【００１５】
この調理用の燃焼器具によれば、ガス供給装置の係止部が磁石を備え、この磁石の磁力によって筐体に備えられた金属板に着脱自在に装着されることにより、ガス供給装置のガス噴射孔がバーナのガス導入口に近接して配置される。また、ガス供給装置は、磁石の磁力以上の力を加えることにより、筐体に備えられた金属板から外すことができる。
【００１６】
また、前記の調理用の燃焼器具において、前記ガス供給装置は、複数備えられていてもよい。
【００１７】
この調理用の燃焼器具によれば、ガス供給装置が複数備えられることにより、客が焼き鳥を食するのに十分な燃料を備えておくことができ、客が店舗から出た後に、店員がこの調理用の燃焼器具を客席から調理場内に搬送し、後始末するときに、使われていない燃料を蓄えた新たなガス供給装置と交換することができる。
【００１８】
また、前記の調理用の燃焼器具において、前記タンクは、透明または半透明の材質で形成されていることが好ましい。
【００１９】
この調理用の燃焼器具によれば、筐体の外側に装着されたタンクが透明または半透明の材質で形成されることにより、燃料が消耗している状態を目視することができ、ガス供給装置の交換時期を見計らうことができる。
【００２０】
また、前記の調理用の燃焼器具において、前記ガス供給装置は、前記タンクを交換可能としてもよい。
【００２１】
この調理用の燃焼器具によれば、タンクを交換可能とすることにより、新しい燃料を蓄えたタンクを予め用意しておき、このタンクをバルブに取り付けることができる。バルブはタンクよりも高価であるため、一つのバルブに対して複数のタンクを取り付けるようにして、節約を図ることができる。
【００２２】
また、前記の調理用の燃焼器具において、前記バーナは、多数の火口が形成され、遠赤外線を放射し、かつ、炎を均等に広げるための触媒部によって前記火口が覆われていてもよい。
【００２３】
この調理用の燃焼器具によれば、バーナが遠赤外線を放射し、かつ、炎を均等に広げるための触媒部によって覆われることにより、肉片は、遠赤外線によって美味に焼き上げられ、また、どこに載せても均等に焼き上げられる。
【発明の効果】
【００２４】
本発明によれば、ガス供給装置がバーナを配置する筐体の外側に配置され、かつ、取替え自在に筐体に装着されることにより、ガス供給装置内の燃料が消耗したときに、ガス供給装置を容易に交換することができる。したがって、この調理用の燃焼器具が店舗内の客席において使用される場合にあっては、客に迷惑をかけることなく迅速にガス供給装置を交換することができる。この結果、客が本発明に係る調理用の燃焼器具を使用することにより、客は各自のペースで焼き上げた焼き鳥を美味に食することができるだけでなく、ガス供給装置の交換作業中に飲食が中断されることがないため、この調理用の燃焼器具を使用した店舗は、好評となって売上を伸ばすことができる。
【発明を実施するための最良の形態】
【００２５】
本発明に係る調理用の燃焼器具の第１の実施形態について図１ないし図３を参照しながら説明する。第１の実施形態における調理用の燃焼器具は、筐体１０とバーナ２０とガス供給装置３０とが備えられている。
【００２６】
筐体１０は、上側に開口部を有し、この開口部が鉄板４０によって覆われる。この鉄板４０は、縞状に形成された多数の細長い貫通穴４１と、中心部と片側部に形成された波板状の遮蔽部４２とを有している。ただし、このような鉄板４０に替え、金網や火格子などを使用してもよい。また、筐体１０の底部には、肉片を柔らかく焼き上げるため、遠赤外線が放射される炭などの燃料１が敷き詰められている。
【００２７】
そして、バーナ２０は、一方が閉鎖され、他方がガス導入口２１とされた筒状体で、上面に多数の火口（図示せず）が形成されている。このバーナ２０は、前記筐体１０の上部のセンターライン上に配置され、ガス導入口２１が筐体１０の一方の側板１１からわずかに突出している。ただし、ガス導入口２１は、側板１１の外面と同一面としてもよいが、ここでは、わずかに突出しているとして説明する。このようなバーナ２０は、筐体１０の内部に取り付けられた一対のＬ字形の固定部材１２，１２に固定されている。
【００２８】
このバーナ２０の上側に形成された多数の火口は、ハニカム構造で樋形状に成形された触媒部２２によって覆われている。この触媒部２２は、遠赤外線を放射し、バーナ２０の炎を均等に広げ、かつ、消臭する機能を有している。この触媒部２２と前記鉄板４０の中心部の遮蔽部４２とが対向し、バーナ２０の熱が鉄板４０の全域に伝わるようにされている。なお、バーナ２０の機能によって、触媒部２２は省略することもできる。
【００２９】
そして、ガス供給装置３０は、液体または固形の燃料２を蓄えるタンク３１と、この燃料２を気化してガスを噴射する円柱状のバルブ３２とタンク３１および／またはバルブ３２を保持する係止部３３とを備えている。タンク３１は、蓄えられた燃料２の残量を目視することができるように、透明または半透明の材質で形成されている。また、バルブ３２は、ガスを噴射させてバーナ２０内に供給する噴射孔３２ａが設けられ、ガスの噴射量が摘み３２ｂによって調整することができるようにされている。噴射孔３２ａと摘み３２ｂとは、バルブ３２の外側面に配置されている。
【００３０】
そして、係止部３３は、図２に示すように、バルブ３２の上端に固定された爪部３３ａによって形成される。この爪部３３ａは、ガス供給装置３０を保持する強度を有している薄板３３ｂを噴射孔３２ａの方に正面視で下向きＬ字形に折り曲げた先端部に設けられる。この先端部は、二股に分けられることによって２つの爪部３３ａ，３３ａが形成され、この爪部３３ａ，３３ａ間に噴射孔３２ａが露出するようにされ、また、爪部３３ａ，３３ａが鉛直下向きとされることにより，ガス供給装置３０が鉛直姿勢となるようにされている。
【００３１】
このような爪部３３ａは、スリット状溝１３内に係入される。このスリット状溝１３は、筐体１０のガス導入口２１を突出させた側板１１に、筐体１０の外側に爪部３３ａの厚さの間隔をあけて薄板１４が固定されることによって形成される。そして、爪部３３ａがこのスリット状溝１３内に係入されると、ガス供給装置３０は、鉛直姿勢となり、噴射孔３２ａがバーナ２０のガス導入口２１と隙間をあけて対向（近接）する。噴射孔３２ａとガス導入口２１との間には、隙間が設けられ、バーナ２０内にガスと空気が混合されて送り込まれるようにされている。摘み３２ｂを回すことにより、噴射されるガスの量が調整され、火力を任意の強さに変更することができる。
【００３２】
この調理用の燃焼器具は、以上のように構成され、次に使用方法について説明する。まず、図１に示すように、ガス供給装置３０が筐体１０に装着された状態、すなわち、ガス供給装置３０の爪部３３ａが筐体１０のスリット状溝１３に係入された状態で、ガス供給装置３０の摘み３２ｂを回し、ガスを噴射孔３２ａからバーナ２０のガス導入口２１に向けて噴射させる。すると、このガスと空気とがバーナ２０内に供給され、火口から噴射する。
【００３３】
そして、火種を触媒部２２に近づけると、触媒部２２上で着火し、触媒部２２の全面で炎が上がる。この炎は、鉄板４０の遮蔽部４２を加熱し、鉄板４０全面が熱せられ、また、触媒部２２から遠赤外線が放射される。さらに、バーナ２０の熱は、筐体１０の底部の燃料１を加熱し、この燃料１からも遠赤外線が放射される。
【００３４】
そして、鉄板４０上に鶏肉などの肉片を載せると、肉片は、鉄板４０と筐体１０の底部の燃料１との両方から放射される遠赤外線によって焼かれ、焼き鳥に焼き上げられる。筐体１０の底部には燃料１が敷き詰められ、水が溜められていないため、肉片は、蒸し焼きのようにならず、また、遠赤外線によって美味な焼き鳥を作ることができる。
【００３５】
そして、タンク３１内の燃料２が消耗していく状態は、タンク３１が透明または半透明とされ、また、筐体１０の外側に配置されていることから、目視することができる。タンク３１内の燃料が完全に消耗すると、ガス供給装置３０ごと交換する。あるいは、タンク３１内の燃料がほとんど消耗した状態で摘み３２ｂを回し、ガスが噴射孔３２ａから出ないようにした状態でガス供給装置３０を交換する。このとき、バーナ２０内にガスが残存しているため、バーナ２０から出ている炎が直ちに消沈することなく燃え続け、ガス供給装置３０は余裕をもって交換することができる。
【００３６】
ガス供給装置３０は、図２に示すように爪部３３ａをスリット状溝１３から抜くだけで、すなわち、ドライバーなどの器具を使用することなく、図３に示すように筐体１０から容易に外すことができる。そして、タンク３１内に満タンの液体燃料または未使用の固形燃料を蓄えた（ストックされた）ガス供給装置３０を筐体１０に装着する。すなわち、ガス供給装置３０は、ドライバーなどの器具を使用することなく、爪部３３ａをスリット状溝１３内に係入するだけで、図１に示すように筐体１０に容易に装着することができる。
【００３７】
交換されたガス供給装置３０は、噴射孔３２ａがバーナ２０のガス導入口２１と近接しており、摘み３２ｂを回すことにより、タンク３１内の燃料が気化されてガスが発生し、このガスが噴射孔３２ａからバーナ２０内に供給される。バーナ２０からは、ガス供給装置３０の交換作業中においても燃え続けているため、改めて着火することなく、継続してバーナ２０から炎が出て、焼き鳥などを続けて焼き上げることができる。
【００３８】
なお、ガス供給装置３０は、満タンの液体燃料または未使用の固形燃料を蓄えたタンク３１にバルブ３２を取り付けた状態でストックしておいてもよいし、一つのバルブ３２に対して、複数のタンク３１を取り付けるようにしてもよい。バルブ３２は、高価であるため、一つのバルブ３２に対して複数のタンク３１を取り付けるようにすることにより、多数のガス供給装置３０を準備する店舗は、経費を節減することができる。
【００３９】
次に、本発明に係る調理用の燃焼器具の第２の実施形態について図４ないし図６を参照しながら説明する。ただし、第２の実施形態は、基本的な構成が第１の実施形態と同じであるため、異なる構成を中心に説明する。
【００４０】
第２の実施形態における調理用の燃焼器具も、第１の実施形態と同様、筐体１０とバーナ２０とガス供給装置３０とが備えられ、筐体１０とバーナ２０とは第１の実施形態と基本的に同じ構成になっている。ガス供給装置３０も第１の実施形態と同じく、液体または固形の燃料を蓄えるタンク３１と、この燃料を気化してガスを噴射するバルブ３２とタンク３１および／またはバルブ３２を保持する係止部３３とを備えている。
【００４１】
しかし、この係止部３３は、第２の実施形態においては第１の実施形態の爪部３３ａに替えて磁石３３ｃが採用される。この磁石３３ｃは、ガス供給装置３０を保持する強度を有している薄板３３ｄを平面視で下向きのＬ字形に折り曲げた先端部外側に、ネジや両面接着テープあるいは接着剤などによって固定される。薄板３３ｄは、図４（ａ）に示すように、バルブ３２に備えられた噴射孔３２ａに対して平面視で直角の方向に向けて折り曲げられる。また、この薄板３３ｄには、図５に示すように、ガス供給装置３０が鉛直姿勢となるようにするための内側枠体３３ｅが磁石３３ｃの周囲に固定されている。
【００４２】
そして、この磁石３３ｃを固着する金属板１５が、バーナ２０のガス導入口２１を突出させた側板１１に備えられている。この金属板１５は、磁石３３ｃを固着したときに、噴射孔３２ａがバーナ２０のガス導入口２１に近接するように筐体１０の側板１１に取り付けられる。さらに、金属板１５には、図６に示すように磁石３３ｃの周囲に取り付けられた内側枠体３３ｅを嵌め込み、ガス供給装置３０が鉛直姿勢となるようにする外側枠体１５ａが固定されている。
【００４３】
第２の実施形態の他の構成は、第１の実施形態と同じであり、次に使用方法について説明する。第１の実施形態において説明したように、目視によってタンク３１内の燃料２が消耗したことが確認されると、ガス供給装置３０を交換する。ガス供給装置３０は、磁石３３ｃの磁力によって筐体１０から突出している金属板１５に固着されているため、その磁石３３ｃの磁力よりも大きな力で、例えば図５に示すようように傾倒させると、図６に示すようにガス供給装置３０を筐体１０から外すことができる。
【００４４】
そして、ストックされたガス供給装置３０を筐体１０に装着する。ガス供給装置３０の磁石３３ｃの周囲に固定された内側枠体３３ｅを、筐体１０に備えられた金属板１５の外側枠体１５ａ内に嵌め込むと、ガス供給体は鉛直姿勢となり、バルブ３２の噴射孔３２ａがバーナ２０のガス導入口２１に近接した位置となって、磁石３３ｃによって固着される。したがって、摘み３２ｂを回すことにより、ガスが噴射孔３２ａからバーナ２０のガス導入口２１に向けて噴射され、バーナ２０は燃え続ける。
【００４５】
次に、本発明に係る第３の実施形態について図７を参照しながら説明する。ただし、第３の実施形態は、基本的な構成が第１および第２の実施形態と同じであるため、異なる構成を中心に説明する。
【００４６】
第３の実施形態における調理用の燃焼器具も、第１および第２の実施形態と同様、筐体１０とバーナ２０とガス供給装置３０とが備えられ、筐体１０とバーナ２０とは第１および第２の実施形態と基本的に同じ構成になっている。ガス供給装置３０も、液体または固形の燃料を蓄えるタンク３１と、この燃料を気化してガスを噴射するバルブ３２とを備えているが、第１および第２の実施形態と異なり、タンク３１を保持する係止部３３を備えていない。
【００４７】
このようなタンク３１は、筐体１０の一方の側板１１に備えられる受け台５０に支承される。受け台５０は、例えば図７に示すように、タンク３１の底面を載せる座板５１と、タンク３１の中間部分を囲む貫通穴５２を形成した保持板５３と、前記座板５１と保持板５３とを連結し、筐体１０の側板１１に固定される連結板５４とから構成される。座板５１上に載せられたタンク３１は、保持板５３の貫通穴５２内にはめ込まれるとによって位置決めされる。したがって、連結板５４の基端部５４ａは、噴射孔３２ａがバーナ２０のガス導入口２１に近接する位置となるように、筐体１０の一方の側板１１に固定される。このような受け台５０を使用した場合、ガス供給装置３０は、鉛直方向に昇降することによって、筐体１０の外側に着脱することができる。
【００４８】
次に、本発明に係る第４の実施形態について図８を参照しながら説明する。ただし、第４の実施形態は、基本的な構成が第１ないし第３の実施形態と同じであるため、異なる構成を中心に説明する。
【００４９】
第４の実施形態における調理用の燃焼器具も、第１ないし第３の実施形態と同様、筐体１０とバーナ２０とガス供給装置３０とが備えられ、筐体１０とバーナ２０とは第１ないし第３の実施形態と基本的に同じ構成になっている。しかし、ガス供給装置３０は、前記各実施形態と異なり、図８に示すように２台備えられている。したがって、バーナ２０は、１本でありながら、ガス導入口２１，２１が２口に分岐されている。この各ガス導入口２１，２１は、筐体１０の一方の側板１１からわずかに突出している。
【００５０】
そして、前記各実施形態と同様、ガス供給装置３０の噴射孔３２ａがこの各ガス導入口２１，２１に近接してそれぞれ配置される。ガス供給装置３０に備えられる係止部３３は、第１ないし第３の実施形態で説明したいずれの構成でも実施することができる。
【００５１】
ただし、第２の実施形態のガス供給装置３０にあっては、ガス供給装置３０を傾倒して着脱するため、磁石３３ｃを固着するための金属板１５は、筐体１０の側板１１の中心に配置することが好ましい。また、第３の実施形態のガス供給装置３０にあっては、ガス供給装置３０に係止部３３が備えられていないため、筐体１０に２台の受け台５０が備えられる。
【００５２】
いずれにしても、ガス供給装置３０，３０が２台備えられることにより、客がこの調理用の燃焼器具を使用して、焼き鳥を焼き上げている間に両方の燃料２，２が完全に消耗しきることがない。したがって、客が調理用の燃焼器具を使用している間に、店員がガス供給装置３０を交換する必要がなく、客の飲食をわずかでも中断しないようにすることができる。
以上、４つの実施形態について説明したが、本発明はこの４つの実施形態に限定することなく、特許請求の範囲に記載した技術的事項の範囲内において種々変更することができる。前記各実施形態は、バーナ２０が１本とされ、筐体１０を例えばカウンターに置くのに適した幅としたものであるが、バーナ２０を２本とすることにより、筐体１０をテーブルに置くのに適した幅とし、それぞれのバーナ２０ごとにガス供給装置３０を備えるようにすることもできる。
【図面の簡単な説明】
【００５３】
【図１】本発明に係る第１の実施形態における調理用の燃焼器具であって、（ａ）はガス供給装置を装着した状態の平面図、（ｂ）は（ａ）のＡ−Ａ線断面正面図、（ｃ）は側面図である。
【図２】本発明に係る第１の実施形態における調理用の燃焼器具であって、ガス供給装置を着脱している状態の要部正面図である。
【図３】本発明に係る第１の実施形態における調理用の燃焼器具であって、（ｂ）はガス供給装置を外した状態の正面図、（ｃ）は同じく側面図である。
【図４】本発明に係る第２の実施形態における調理用の燃焼器具であって、（ａ）はガス供給装置を装着した状態の平面図、（ｂ）は（ａ）のＢ−Ｂ線断面正面図、（ｃ）は側面図である。
【図５】本発明に係る第２の実施形態における調理用の燃焼器具であって、ガス供給装置を着脱している状態の要部側面図である。
【図６】本発明に係る第２の実施形態における調理用の燃焼器具であって、（ｂ）はガス供給装置を外した状態の正面図、（ｃ）は同じく側面図である。
【図７】本発明に係る第３の実施形態における調理用の燃焼器具の要部断面正面図である。
【図８】本発明に係る第４の実施形態における調理用の燃焼器具の側面図である。
【符号の説明】
【００５４】
２……燃料
１０……筐体
１３……スリット状溝
１５……金属板
２０……バーナ
２１……ガス導入口
２２……触媒部
３０……ガス供給装置
３１……タンク
３２……バルブ
３３……係止部
３３ａ…噴射孔
３３ｃ…磁石
【図１】
2005282991.tif 000003
【図２】
2005282991.tif 000004
【図３】
2005282991.tif 000005
【図４】
2005282991.tif 000006
【図５】
2005282991.tif 000007
【図６】
2005282991.tif 000008
【図７】
2005282991.tif 000009
【図８】
2005282991.tif 000010